(57)【要約】【課題】データチャネルのＳＩＲとパイロット信号のＳＩＲとの誤差が抑制されるようにパイロット信号を送信して無線伝送品質の向上を図る。【解決手段】特定パイロット信号生成部１１は、データチャネルと同じ電力及び同じ拡散比を持つ特定パイロット信号を生成する。データチャネル生成部１２は、伝搬環境情報を受信して、伝搬環境情報に対応する送信フォーマットでデータチャネルを生成する。無線送信部１３は、特定パイロット信号とデータチャネルとを送信する。伝搬環境情報通知部２１は、特定パイロット信号を検知した場合は、特定パイロット信号の信号対干渉比を測定し、信号対干渉比に対応する伝搬環境情報を生成して、無線送信機１０へ通知する。データチャネル受信部２２は、データチャネルの受信処理を行う。【選択図】図１
2008028711.tif 000002
【特許請求の範囲】
【請求項１】
無線通信を行う無線システムにおいて、
データチャネルと同じ電力及び同じ拡散比を持つ特定パイロット信号を生成する特定パイロット信号生成部と、伝搬環境情報を受信して、前記伝搬環境情報に対応する送信フォーマットで前記データチャネルを生成するデータチャネル生成部と、前記特定パイロット信号と前記データチャネルとを送信する無線送信部と、を有する無線送信機と、
前記特定パイロット信号を検知した場合は、前記特定パイロット信号の信号対干渉比を測定し、前記信号対干渉比に対応する前記伝搬環境情報を判定して、前記無線送信機へ通知する伝搬環境情報通知部と、受信した前記データチャネルの受信処理を行うデータチャネル受信部と、を有する無線受信機と、
を備えたことを特徴とする無線システム。
【請求項２】
前記無線送信部は、前記特定パイロット信号の専用チャネルを設けて、前記データチャネルと、特定パイロット信号専用チャネルとを独立して送信することを特徴とする請求項１記載の無線システム。
【請求項３】
前記無線送信部は、前記データチャネルを時分割して前記特定パイロット信号を多重化し、１つのチャネルで前記特定パイロット信号と前記データチャネルのデータとを送信することを特徴とする請求項１記載の無線システム。
【請求項４】
無線通信を行う無線システムにおいて、
データチャネルの電力及び拡散比よりも大きな電力及び大きな拡散比を持つ基礎パイロット信号を送出する基礎パイロット信号送出部と、前記データチャネルと同じ電力及び同じ拡散比を持つ特定パイロット信号を生成する特定パイロット信号生成部と、伝搬環境情報を受信して、前記伝搬環境情報に対応する送信フォーマットで前記データチャネルを生成するデータチャネル生成部と、通知された前記伝搬環境情報の値から、受信機側での受信品質レベルを判断し、前記受信品質レベルが通常品質レベルと判断した場合は、前記データチャネルを送信し、前記受信品質レベルが高品質レベルと判断した場合は、前記特定パイロット信号と前記データチャネルとを含む特定無線信号を送信する無線送信部と、を有する無線送信機と、
前記特定パイロット信号を検知しない場合は、前記基礎パイロット信号から信号対干渉比を測定し、前記特定パイロット信号を検知した場合は、前記特定パイロット信号から信号対干渉比を測定して、測定結果に対応する前記伝搬環境情報を判定して前記無線送信機へ通知する伝搬環境情報通知部と、受信した前記データチャネルの受信処理を行うデータチャネル受信部と、を有する無線受信機と、
を備えたことを特徴とする無線システム。
【請求項５】
前記無線送信部は、通知された前記伝搬環境情報が、前記基礎パイロット信号の信号対干渉比及び前記信号対干渉比に対応する伝搬環境情報の関数である基礎パイロット信号関数曲線と、前記データチャネルの信号対干渉比及び前記信号対干渉比に対応する伝搬環境情報の関数であるデータチャネル関数曲線と、で不一致が生じる誤差発生範囲内に存在するか否かを判断し、前記誤差発生範囲内に存在しなければ、前記無線受信機の前記受信品質レベルは通常品質レベルと認識し、前記誤差発生範囲内に存在すれば、前記無線受信機の前記受信品質レベルは高品質レベルと認識することを特徴とする請求項４記載の無線システム。
【発明の詳細な説明】
【技術分野】
【０００１】
本発明は無線システムに関し、特にＷ−ＣＤＭＡ（Wideband-Code Division Multiple Access）の無線通信を行う無線システムに関する。
【背景技術】
【０００２】
近年、Ｗ−ＣＤＭＡの技術をベースにしたＨＳＤＰＡ（High Speed Downlink Packet Access）と呼ばれる無線通信方式が開発されている。ＨＳＤＰＡは、適応変調方式を使用して、移動端末の電波受信環境に応じて、基地局側で変調方式を切り替える無線システムである。
【０００３】
ＨＳＤＰＡでは、同一セル内の移動端末であっても受信状態の良好な移動端末に対しては、高速な変調方式に切り替えることで、高速ダウンリンクパケット伝送を実現する。なお、変調方式の切り替えだけでなく、受信状態の良好な移動端末には、優先的にパケット伝送を行ったりもする。
【０００４】
基地局が移動端末の受信環境を認識する場合、まず、既知である搬送周波数を持つパイロット信号（共通パイロット信号）を基地局から送出し、移動端末がパイロット信号を受信する。移動端末では、パイロット信号を受信したときの、現在の受信環境における伝搬環境（干渉量）を測定し、伝搬環境情報を基地局に通知する。
【０００５】
そして、基地局では、通知された伝搬環境情報にもとづいて、干渉量の良好な移動端末を選択し、選択した移動端末に対して、高速変調の送信フォーマットでデータチャネルを送信し、または優先的にデータチャネルの送信を行う。
【０００６】
なお、伝搬環境情報とは、具体的にはＣＱＩ（Channel Quality Indicator）のことで、これはパイロット信号に対するＳＩＲ（Signal-to-Interference Ratio（S/I）：信号対干渉比）の値を１〜３０の３０個の情報に換算したものである。例えば、ＣＱＩ＝１は、ＳＩＲの最低値を表し、受信側において、最も受信品質レベルが悪く、ＣＱＩ＝３０は、ＳＩＲの最高値を表し、受信側において、最も受信品質レベルが良いものとなる。図８はＣＱＩと変調方式の対応関係を示す図である。ＣＱＩと送信フォーマット（ブロックサイズ、変調方式）との対応関係を示している。
【０００７】
一方、パイロット信号に関しては、パイロット信号はユーザ個別に送信するのではなく、ある１つのコードに割り当てて、ユーザ間で共有して使用される。これにより、周波数の有効利用が可能である。また、すべての移動端末で使用されるために、パイロット信号の送信電力及び拡散比は大きく設定されている。
【０００８】
従来技術としては、移動局がパイロット信号の受信品質を測定して、上り品質制御チャネルを用いて品質情報を基地局へ送信する場合に、基地局へ上り品質制御チャネルの設定中に、所定の間隔で基地局へ品質情報の送信を開始する技術が提案されている（例えば、特許文献１）。
【特許文献１】特開２００３−１９９１７３号公報（段落番号〔００２７〕〜〔００３１〕，第１図）
【発明の開示】
【発明が解決しようとする課題】
【０００９】
ところが、移動端末において、受信品質が非常に良好な環境で、パイロット信号を使って干渉量を測ろうとすると、パイロット信号の送信電力及び拡散比が大きいため、位相雑音やフェージングによる信号点の変動が見えてしまい、ＣＱＩの判定ミスを犯してしまうといった問題があった。
【００１０】
図９はＳＩＲのシミュレーション結果を示す図である。コンスタレーション上におけるサンプリングされた測定信号のシンボルを示している。なお、測定信号の本来のシンボルは矢印の先端にあるとする。
【００１１】
シミュレーション環境において、送信電力及び拡散比を小さくした測定信号（データチャネルに該当）の伝搬時には、位相雑音やフェージングの影響が小さいため、これらの要因によって生じる受信品質劣化も小さくなる。
【００１２】
このような測定信号を受信して、電圧値を測定すると、元の測定信号のシンボルに対して、振幅変動（原点からシンボルまでの距離の変動）及び位相変動（原点を基準にしたシンボルの回転の変動）も小さくなるので、測定信号に関する複数のサンプリング時刻のシンボルは、本来の測定信号のシンボルに密集した位置Ｓａにプロットされることになり、大きな誤差は生じないことがわかる。
【００１３】
これに対し、送信電力及び拡散比を大きくした測定信号（パイロット信号に該当）の伝搬時には、位相雑音やフェージングの影響が大きいため、これらの要因によって生じる受信品質劣化も大きくなる。
【００１４】
このような測定信号を受信して、電圧値を測定すると、元の測定信号のシンボルに対して、振幅変動及び位相変動が大きくなるので、測定信号に関する複数のサンプリング時刻のシンボルは、原点から離れ、かつ位相的にも離散した位置Ｓｂにプロットされることになり、大きな誤差が生じてしまうことがわかる。
【００１５】
図１０はＣＱＩ−ＳＩＲ変換テーブルを示す図である。縦軸はＳＩＲ（ｄＢ）、横軸はＣＱＩである。曲線Ｋ１は、位相雑音なしの場合のＳＩＲのシミュレーション結果であり、曲線Ｋ２は、位相雑音ありの場合のＳＩＲのシミュレーション結果を示す。
【００１６】
位相雑音が生じない場合、曲線Ｋ１は、ほぼ直線に近い形状を保つが、位相雑音が発生すると、図９で上述したように誤差が発生するので、曲線形状が変化し、図１０に示すように、ＣＱＩ＝２２付近からＳＩＲが下降して、曲線Ｋ２のような形状になってくる。
【００１７】
ここで、パイロット信号（曲線Ｋ２）のＳＩＲを測定して２６ｄＢであったときのＣＱＩは２８となるが、ＳＩＲが２６ｄＢのときの実際のデータチャネル（曲線Ｋ１）のＣＱＩは２５となって、パイロット信号のＳＩＲ測定時のＣＱＩと、データチャネルのＳＩＲ測定時のＣＱＩとにずれが生じることがわかる。
【００１８】
すなわち、ＣＱＩは本来、データチャネルの受信状態を示す情報であるが、従来では、データチャネルの伝搬状態とは異なる、位相雑音やフェージングの影響を受けやすいパイロット信号にもとづいて、ＳＩＲを測定してＣＱＩを判定しているので、実際のデータチャネルの受信状態とＣＱＩとの対応関係にずれが生じてしまう問題があった。また、その結果、基地局から適切な送信フォーマットでデータチャネルを送信できなくなるため、スループット特性の劣化を引き起こすことになる。
【００１９】
本発明はこのような点に鑑みてなされたものであり、データチャネルのＳＩＲとパイロット信号のＳＩＲとの誤差が抑制されるようにパイロット信号を送信して無線伝送品質の向上を図った無線システムを提供することを目的とする。
【課題を解決するための手段】
【００２０】
本発明では上記課題を解決するために、図１に示すような、無線通信を行う無線システム１において、データチャネルと同じ電力及び同じ拡散比を持つ特定パイロット信号を生成する特定パイロット信号生成部１１と、伝搬環境情報を受信して、伝搬環境情報に対応する送信フォーマットでデータチャネルを生成するデータチャネル生成部１２と、特定パイロット信号とデータチャネルとを送信する無線送信部１３と、を有する無線送信機１０と、特定パイロット信号を検知した場合は、特定パイロット信号の信号対干渉比を測定し、信号対干渉比に対応する伝搬環境情報を判定して、無線送信機１０へ通知する伝搬環境情報通知部２１と、受信したデータチャネルの受信処理を行うデータチャネル受信部２２と、を有する無線受信機２０と、を備えた無線システム１が提供される。
【００２１】
ここで、特定パイロット信号生成部１１は、データチャネルと同じ電力及び同じ拡散比を持つ特定パイロット信号を生成する。データチャネル生成部１２は、伝搬環境情報を受信して、伝搬環境情報に対応する送信フォーマットでデータチャネルを生成する。無線送信部１３は、特定パイロット信号とデータチャネルとを送信する。伝搬環境情報通知部２１は、特定パイロット信号を検知した場合は、特定パイロット信号の信号対干渉比を測定し、信号対干渉比に対応する伝搬環境情報を生成して、無線送信機１０へ通知する。データチャネル受信部２２は、受信したデータチャネルの受信処理を行う。
【発明の効果】
【００２２】
本発明の無線システムは、無線送信機では、データチャネルと同じ電力及び同じ拡散比を持つ特定パイロット信号を生成してデータチャネルと共に送信し、無線受信機では、特定パイロット信号の信号対干渉比（ＳＩＲ）を測定し、信号対干渉比に対応する伝搬環境情報（ＣＱＩ）を判定して無線送信機へ通知する構成とした。これにより、データチャネルのＳＩＲと特定パイロット信号のＳＩＲとが同一値であり、データチャネルのＳＩＲに対応するＣＱＩと、特定パイロット信号のＳＩＲにもとづくＣＱＩとに誤差が生じず、正常なＣＱＩ判定を行うことができるので、無線伝送品質の向上を図ることが可能になる。
【発明を実施するための最良の形態】
【００２３】
以下、本発明の実施の形態を図面を参照して説明する。図１は無線システムの原理図である。第１の実施の形態の無線システム１は、無線送信機１０（基地局に該当）と無線受信機２０（移動端末に該当）を有する。
【００２４】
無線送信機１０は、特定パイロット信号生成部１１、データチャネル生成部１２、無線送信部１３を有する。特定パイロット信号生成部１１は、データチャネルと同じ電力及び同じ拡散比を持つ特定パイロット信号を生成する。データチャネル生成部１２は、伝搬環境情報（以下、ＣＱＩ）を受信して、ＣＱＩに対応する送信フォーマットでデータチャネルを生成する。無線送信部１３は、特定パイロット信号とデータチャネルとを送信する。
【００２５】
無線受信機２０は、ＣＱＩ通知部２１とデータチャネル受信部２２とを有する。ＣＱＩ通知部２１は、特定パイロット信号を検知した場合は、特定パイロット信号の信号対干渉比（以下、ＳＩＲ）を測定し、ＳＩＲに対応するＣＱＩを生成して、無線送信機１０へ通知する。データチャネル受信部２２は、受信したデータチャネルの受信処理を行う。
【００２６】
図２は特定パイロット信号の伝送フォーマットを示す図である。無線送信部１３において、特定パイロット信号Ｐ１の専用チャネルである特定パイロット信号専用チャネルＣＨｐを設けて、データチャネルＣＨｄと、特定パイロット信号専用チャネルＣＨｐとを独立して送信するときのフォーマットを示している。
【００２７】
特定パイロット信号生成部１１は、データチャネルＣＨｄと同じ電力及び同じ拡散比を持つ特定パイロット信号Ｐ１を生成し、無線送信部１３は、特定パイロット信号Ｐ１（特定パイロット信号専用チャネルＣＨｐ）とデータチャネルＣＨｄとを送信する。
【００２８】
なお、データチャネルＣＨｄの電力及び拡散比よりも大きな電力及び大きな拡散比を持つ、通常のパイロット信号Ｐｃ（以下、基礎パイロット信号と呼ぶ）は、従来どおり無線送信機１０から常に送出されていてもよいし、特定パイロット信号Ｐ１のみを使用するならば、送出を停止しても構わない。
【００２９】
無線受信機２０のＣＱＩ通知部２１では、特定パイロット信号Ｐ１を検知した場合は、特定パイロット信号Ｐ１を受信した現在の受信環境におけるＳＩＲを測定し、測定したＳＩＲに対応するＣＱＩを無線送信機１０へ通知する。
【００３０】
そして、無線送信機１０は、通知されたＣＱＩにもとづいて、適切な送信フォーマットを選択し（すなわち、図８を利用して、通知されたＣＱＩに対応するブロックサイズや変調方式でデータチャネルＣＨｄの送信フォーマットを作成）、選択した送信フォーマットでデータチャネルＣＨｄを無線受信機２０へ送信する。
【００３１】
図３は特定パイロット信号の伝送フォーマットを示す図である。無線送信部１３において、データチャネルを時分割して特定パイロット信号Ｐ１を多重化し、１つのチャネルで特定パイロット信号とデータとを送信するときのフォーマットを示している。
【００３２】
以上説明したように、無線送信機１０では、データチャネルと同じ送信電力及び同じ拡散比の特定パイロット信号Ｐ１を送信し、無線受信機２０では特定パイロット信号Ｐ１の受信状態を測定してＣＱＩを生成するので、実際のデータチャネルと同じ受信状態のＣＱＩを判定することが可能になる。また、その結果、無線送信機１０は、データチャネルの受信品質を的確に示すＣＱＩを取得するので、無線送信機１０からは、適切な送信フォーマットでデータチャネルを送信でき、ＣＱＩの誤差から生じていた従来のスループット特性の劣化を抑制することが可能になる。
【００３３】
次に第２の実施の形態の無線システムについて説明する。図４は第２の実施の形態の無線システムの構成を示す図である。無線システム２は、無線送信機３０と無線受信機４０を有する。
【００３４】
無線送信機３０は、特定パイロット信号生成部３１、データチャネル生成部３２、無線送信部３３、基礎パイロット信号送出部３４を有する。基礎パイロット信号送出部３４は、データチャネルの電力及び拡散比よりも大きな電力及び大きな拡散比を持つ基礎パイロット信号を送出する。
【００３５】
特定パイロット信号生成部３１は、データチャネルと同じ電力及び同じ拡散比を持つ特定パイロット信号を生成する。データチャネル生成部３２は、ＣＱＩを受信して、ＣＱＩに対応する送信フォーマットでデータチャネルを生成する。無線送信部３３は、通知されたＣＱＩの値から、無線受信機４０側での受信品質レベルを判断し、受信品質レベルが通常品質レベルと判断した場合は、データチャネルを送信し、受信品質レベルが高品質レベルと判断した場合は、特定パイロット信号とデータチャネルとを含む特定無線信号を送信する。
【００３６】
無線受信機４０は、ＣＱＩ通知部４１とデータチャネル受信部４２とを有する。ＣＱＩ通知部４１は、特定パイロット信号を検知しない場合は、基礎パイロット信号からＳＩＲを測定し、特定パイロット信号を検知した場合は、特定パイロット信号からＳＩＲを測定して、測定結果に対応するＣＱＩを判定して無線送信機３０へ通知する。データチャネル受信部４２は、受信したデータチャネルの受信処理を行う。
【００３７】
ここで、基礎パイロット信号のＳＩＲ（基礎ＳＩＲ）と、基礎ＳＩＲに対応するＣＱＩ（基礎ＣＱＩ）との関数である基礎パイロット信号関数曲線（曲線Ｋ２）と、データチャネルのＳＩＲ（データＳＩＲ）と、データＳＩＲに対応するＣＱＩ（データＣＱＩ）との関数であるデータチャネル関数曲線（曲線Ｋ１）と、で不一致が生じる範囲を誤差発生範囲と呼ぶ。
【００３８】
すなわち、図１０で示したＣＱＩ−ＳＩＲ変換テーブルに対して、曲線Ｋ２（基礎パイロット信号）と、曲線Ｋ１（データチャネル）とで不一致を生じる境界点がＣＱＩ＝２２であり、ＣＱＩ＝２３〜３０までの範囲（ＳＩＲ≒２３ｄＢ〜３２ｄＢまでの範囲）が、基礎パイロット信号のＳＩＲにもとづくＣＱＩと、データチャネルのＳＩＲにもとづくＣＱＩとで誤差が生じてくる範囲（誤差発生範囲）である。
【００３９】
無線送信部３３は、通知されたＣＱＩが、誤差発生範囲内に存在するか否かを判断する。誤差発生範囲内にＣＱＩが存在しなければ、無線受信機４０の受信品質レベルは通常品質レベルと認識して、データチャネルを送信し、誤差発生範囲内にＣＱＩが存在すれば、無線受信機４０の受信品質レベルは高品質レベルと認識して、特定無線信号を送信する。
【００４０】
図５は無線システム２の動作フローを示す図である。
〔Ｓ１〕基礎パイロット信号送出部３４は、データチャネルの電力及び拡散比よりも大きな電力及び大きな拡散比を持つ基礎パイロット信号を常時送出する。
【００４１】
〔Ｓ２〕ＣＱＩ通知部４１は、特定パイロット信号を検知せず、基礎パイロット信号を検知した場合は、基礎パイロット信号のＳＩＲを測定し、測定結果にもとづいてＣＱＩを判定し、判定したＣＱＩを無線送信機３０へ通知する。
【００４２】
〔Ｓ３〕無線送信部３３は、通知されたＣＱＩが、誤差発生範囲内に含まれるＣＱＩか否かを判断する。ＣＱＩが誤差発生範囲内に含まれない場合はステップＳ４へいき、誤差発生範囲内に含まれる場合はステップＳ５へいく。
【００４３】
〔Ｓ４〕無線送信部３３は、データチャネルを送信する。
〔Ｓ５〕無線送信部３３は、データチャネルと特定パイロット信号を含む特定無線信号を送信する。
【００４４】
〔Ｓ６〕無線受信機４０のＣＱＩ通知部４１は、特定パイロット信号を検知するので、特定パイロット信号のＳＩＲを測定し、測定結果にもとづいてＣＱＩを判定し、判定したＣＱＩを無線送信機３０へ通知する。そして、ステップＳ３へ戻る。
【００４５】
上記のように、無線送信機３０では、通知されたＣＱＩが誤差発生範囲内になければ、パイロット信号のＣＱＩ−ＳＩＲの関数曲線と、データチャネルのＣＱＩ−ＳＩＲの関数曲線が一致するので、通知されたＣＱＩに誤差がないものとみなして、無線送信部３３はデータチャネルのみ送信する（特定パイロット信号は送信しない。また、無線受信機４０は基礎パイロット信号にもとづきＣＱＩ判定を行う）。
【００４６】
一方、通知されたＣＱＩが誤差発生範囲内にあれば、パイロット信号のＣＱＩ−ＳＩＲの関数曲線と、データチャネルのＣＱＩ−ＳＩＲの関数曲線が不一致となるので、通知されたＣＱＩには誤差があるものとみなして、無線送信部３３は特定無線信号（特定パイロット信号＋データチャネル）を送信する。無線受信機４０では、特定パイロット信号を検知することにより、特定パイロット信号からＣＱＩを求めることになる。
【００４７】
ここで、無線送信機３０が特定無線信号を送信しているときに、無線受信機４０が特定パイロット信号からＣＱＩを判定した値が２３〜３０の範囲にあった場合は、このＣＱＩは、データチャネルのＣＱＩ−ＳＩＲの関数曲線（曲線Ｋ１）にもとづくＣＱＩであるから誤差はなく（データチャネルの電力及び拡散比に等しい特定パイロット信号から求めたＣＱＩなので誤差はない）、無線送信機３０では受信側は高品質の受信状態とみなして、特定無線信号を継続して送信する。
【００４８】
また、特定無線信号（または基礎パイロット信号）の送信時に、通知されたＣＱＩが１〜２２の範囲にあった場合は、パイロット信号のＣＱＩ−ＳＩＲの関数曲線と、データチャネルのＣＱＩ−ＳＩＲの関数曲線とは一致することから、通常受信品質レベルとみなし、無線送信機３０は、特定パイロット信号を送信する必要はないので、無線送信部３３からはデータチャネルのみ送信する（基礎パイロット信号は常時送出されており、無線受信機４０は基礎パイロット信号からＣＱＩ判定を行うことになる）。
【００４９】
このように、第２の実施の形態では、無線受信機４０の受信品質に応じて、特定パイロット信号の送信切り替えを行うことにより、高い受信品質が不要の場合には、特定パイロット信号を送信しないので、無線電波の送信効率を向上することが可能になる。また、第１の実施の形態の効果と同様にして、実際のデータチャネルと同じ受信状態のＣＱＩを判定することができ、その結果、無線送信機３０からは、適切な送信フォーマットでデータチャネルを送信できるので、ＣＱＩの誤差から生じていた従来のスループット特性の劣化を抑制することが可能になる。
【００５０】
図６は特定無線信号の伝送フォーマットを示す図である。通知されたＣＱＩが誤差発生範囲外にあるときの伝送フォーマットはフォーマットＦ０（通常時）となり、通知されたＣＱＩが誤差範囲内にあるときの伝送フォーマットはフォーマットＦ１（高品質時）となる。
【００５１】
特定無線信号のフォーマットＦ１は、特定パイロット信号Ｐ１の専用チャネルである特定パイロット信号専用チャネルＣＨｐを設けて、データチャネルＣＨｄと、特定パイロット信号専用チャネルＣＨｐとを独立して送信する。
【００５２】
図７は特定無線信号の伝送フォーマットを示す図である。通知されたＣＱＩが誤差発生範囲外にあるときの伝送フォーマットはフォーマットＦ０（通常時）となり、通知されたＣＱＩが誤差発生範囲内にあるときの伝送フォーマットはフォーマットＦ２（高品質時）となる。
【００５３】
特定無線信号のフォーマットＦ２は、データチャネルを時分割して特定パイロット信号Ｐ１を多重化し、１つのチャネルで特定パイロット信号と、データチャネルのデータとを送信する。
【００５４】
（付記１）  無線通信を行う無線システムにおいて、
データチャネルと同じ電力及び同じ拡散比を持つ特定パイロット信号を生成する特定パイロット信号生成部と、伝搬環境情報を受信して、前記伝搬環境情報に対応する送信フォーマットで前記データチャネルを生成するデータチャネル生成部と、前記特定パイロット信号と前記データチャネルとを送信する無線送信部と、を有する無線送信機と、
前記特定パイロット信号を検知した場合は、前記特定パイロット信号の信号対干渉比を測定し、前記信号対干渉比に対応する前記伝搬環境情報を判定して、前記無線送信機へ通知する伝搬環境情報通知部と、受信した前記データチャネルの受信処理を行うデータチャネル受信部と、を有する無線受信機と、
を備えたことを特徴とする無線システム。
【００５５】
（付記２）  前記無線送信部は、前記特定パイロット信号の専用チャネルを設けて、前記データチャネルと、特定パイロット信号専用チャネルとを独立して送信することを特徴とする付記１記載の無線システム。
【００５６】
（付記３）  前記無線送信部は、前記データチャネルを時分割して前記特定パイロット信号を多重化し、１つのチャネルで前記特定パイロット信号と前記データチャネルのデータとを送信することを特徴とする付記１記載の無線システム。
【００５７】
（付記４）  無線通信を行う無線システムにおいて、
データチャネルの電力及び拡散比よりも大きな電力及び大きな拡散比を持つ基礎パイロット信号を送出する基礎パイロット信号送出部と、前記データチャネルと同じ電力及び同じ拡散比を持つ特定パイロット信号を生成する特定パイロット信号生成部と、伝搬環境情報を受信して、前記伝搬環境情報に対応する送信フォーマットで前記データチャネルを生成するデータチャネル生成部と、通知された前記伝搬環境情報の値から、受信機側での受信品質レベルを判断し、前記受信品質レベルが通常品質レベルと判断した場合は、前記データチャネルを送信し、前記受信品質レベルが高品質レベルと判断した場合は、前記特定パイロット信号と前記データチャネルとを含む特定無線信号を送信する無線送信部と、を有する無線送信機と、
前記特定パイロット信号を検知しない場合は、前記基礎パイロット信号から信号対干渉比を測定し、前記特定パイロット信号を検知した場合は、前記特定パイロット信号から信号対干渉比を測定して、測定結果に対応する前記伝搬環境情報を判定して前記無線送信機へ通知する伝搬環境情報通知部と、受信した前記データチャネルの受信処理を行うデータチャネル受信部と、を有する無線受信機と、
を備えたことを特徴とする無線システム。
【００５８】
（付記５）  前記無線送信部は、通知された前記伝搬環境情報が、前記基礎パイロット信号の信号対干渉比及び前記信号対干渉比に対応する伝搬環境情報の関数である基礎パイロット信号関数曲線と、前記データチャネルの信号対干渉比及び前記信号対干渉比に対応する伝搬環境情報の関数であるデータチャネル関数曲線と、で不一致が生じる誤差発生範囲内に存在するか否かを判断し、前記誤差発生範囲内に存在しなければ、前記無線受信機の前記受信品質レベルは通常品質レベルと認識し、前記誤差発生範囲内に存在すれば、前記無線受信機の前記受信品質レベルは高品質レベルと認識することを特徴とする付記４記載の無線システム。
【００５９】
（付記６）  前記無線送信部は、前記特定無線信号を送信する場合、前記特定パイロット信号の専用チャネルを設けて、前記データチャネルと、特定パイロット信号専用チャネルとを独立して送信することを特徴とする付記４記載の無線システム。
【００６０】
（付記７）  前記無線送信部は、前記特定無線信号を送信する場合、前記データチャネルを時分割して前記特定パイロット信号を多重化し、１つのチャネルで前記特定パイロット信号と前記データチャネルのデータとを送信することを特徴とする付記４記載の無線システム。
【図面の簡単な説明】
【００６１】
【図１】無線システムの原理図である。
【図２】特定パイロット信号の伝送フォーマットを示す図である。
【図３】特定パイロット信号の伝送フォーマットを示す図である。
【図４】第２の実施の形態の無線システムの構成を示す図である。
【図５】無線システムの動作フローを示す図である。
【図６】特定無線信号の伝送フォーマットを示す図である。
【図７】特定無線信号の伝送フォーマットを示す図である。
【図８】ＣＱＩと変調方式の対応関係を示す図である。
【図９】ＳＩＲのシミュレーション結果を示す図である。
【図１０】ＣＱＩ−ＳＩＲ変換テーブルを示す図である。
【符号の説明】
【００６２】
１  無線システム
１０  無線送信機
１１  特定パイロット信号生成部
１２  データチャネル生成部
１３  無線送信部
２０  無線受信機
２１  伝搬環境情報通知部
２２  データチャネル受信部
【図１】
2008028711.tif 000003
【図２】
2008028711.tif 000004
【図３】
2008028711.tif 000005
【図４】
2008028711.tif 000006
【図５】
2008028711.tif 000007
【図６】
2008028711.tif 000008
【図７】
2008028711.tif 000009
【図８】
2008028711.tif 000010
【図９】
2008028711.tif 000011
【図１０】
2008028711.tif 000012